(57)【特許請求の範囲】
【請求項１】
建物の構造躯体の屋外側に設けられる外壁パネルと、上記外壁パネル内に埋め込まれる断熱材と、上記断熱材の屋内側の面に設けられた第１防湿シートと、左右に隣り合う外壁パネルの縦目地が存在する箇所の屋内側に設けられており、上記第１防湿シートに連続する防湿面を形成する第２防湿シートを有する柔軟性部材と、を備えており、
上記外壁パネルの縦目地と柱との間であって上記柔軟性部材を押し込んでセットすることができる箇所に当該柔軟性部材が設けられることを特徴とする建物の防湿構造。
【請求項２】
請求項１に記載の建物の防湿構造において、１階外壁パネルの屋内下部側であって上記柔軟性部材の下方に気流止め材が設けられることを特徴とする建物の防湿構造。
【請求項３】
建物の構造躯体の屋外側に設けられる外壁パネルと、上記外壁パネル内に埋め込まれる断熱材と、上記断熱材の屋内側の面に設けられた第１防湿シートと、胴差に間隔をおいて設けられており、上記外壁パネルを取り付けるのに用いられる取付部材と、上記取付部材間に設けられており、上記第１防湿シートに連続する防湿面を形成する第２防湿シートを有する柔軟性部材と、を備えており、上記胴差の下部と上部の各々に上記柔軟性部材が設けられることを特徴とする建物の防湿構造。
【請求項４】
請求項３に記載の建物の防湿構造において、上記胴差の屋外側で外壁パネルの横目地が存在する箇所の屋内側に上記柔軟性部材が設けられることを特徴とする建物の防湿構造。                                                                                        
【発明の詳細な説明】
【技術分野】
【０００１】
この発明は、建物の構造躯体の屋外側に断熱材が設けられる構造の建物の防湿構造に関する。
【背景技術】
【０００２】
図９は、建物の構造躯体である柱梁の外側に断熱材が設けられない建物２０１の防湿構造を示している。建物２０１は、屋根部２０１Ａと胴差部２０１Ｂと基礎部２０１Ｃとを有しており、外壁パネル２０４は構造躯体である梁材２０３上に裏面側の一部を位置させて取り付けられる。
【０００３】
上記屋根部２０１Ａにおいては、図１０（Ａ）に示すように、上記外壁パネル２０４の裏面断熱材に設けられている防湿シート２０４ａによって湿気を通さない防湿面が形成される（太点線参照）。また、天井２０６に設けられた防湿シート２０６ａによって防湿面が形成される（太点線参照）。上記防湿シート２０４ａと上記防湿シート２０６ａとは壁面の上部箇所で重なるように設けられる。
【０００４】
また、上記胴差部２０１Ｂにおいては、図１０（Ｂ）に示すように、梁材３のウェブによって防湿面が形成される（太点線参照）。また、上記梁材３の上側と下側には上記外壁パネル２０４の裏面断熱材に設けられている防湿シート２０４ａによって防湿面が形成される（太点線参照）。
【０００５】
なお、特許文献１には、断熱マットの周囲の耳部が防湿シート押え縁により柱等の軸部材に固定されて静止空気層となる構造が開示されている。
【先行技術文献】
【特許文献】
【０００６】
【特許文献１】特開２００８−１２７８５４号公報
【発明の概要】
【発明が解決しようとする課題】
【０００７】
しかしながら、上記建物２０１の防湿構造を外張断熱工法や外断熱工法の建物に用いようとする場合において、上記外壁パネル２０４の裏面断熱材に設けられている防湿シート２０４ａで防湿面を形成しようとすると、特に柱の箇所において、上記防湿シート２０４ａの縁から別の防湿シートを上記柱を巻き込むように大きく配置する必要があり、作業性が低下する。上記特許文献１の技術を用いたとしても、外張断熱による建物に適切に対応することはできない。
【０００８】
この発明は、上記の事情に鑑み、建物の構造躯体の外側に断熱材が設けられる建物において作業性に優れた防湿施工を行うことができる建物の防湿構造を提供することを課題とする。
【課題を解決するための手段】
【０００９】
この発明の建物の防湿構造は、上記の課題を解決するために、建物の構造躯体の屋外側に設けられる外壁パネルと、上記外壁パネル内に埋め込まれる断熱材と、上記断熱材の屋内側の面に設けられた第１防湿シートと、左右に隣り合う外壁パネルの縦目地が存在する箇所の屋内側に設けられており、上記第１防湿シートに連続する防湿面を形成する第２防湿シートを有する柔軟性部材と、を備えることを特徴とする。
【００１０】
上記の構成であれば、上記外壁パネルに設けられる上記断熱材の屋内側の面に設けられた第１防湿シートによって外壁パネル全体の防湿が簡単に行われるとともに、上記柔軟性部材が有している第２防湿シートによって、上記隣り合う外壁パネルの縦目地が存在する箇所の屋内側で防湿が簡単に行える。すなわち、建物の構造躯体の外側に断熱材が設けられる建物において作業性に優れた防湿施工を行うことができる。
【００１１】
上記柔軟性部材が上記外壁パネルの縦目地と柱との間に存在してもよい。また、１階外壁パネルの屋内下部側であって上記柔軟性部材の下方に気流止め材が設けられてもよい。
【００１２】
また、この発明の建物の防湿構造は、建物の構造躯体の屋外側に設けられる外壁パネルと、上記外壁パネル内に埋め込まれる断熱材と、上記断熱材の屋内側の面に設けられた第１防湿シートと、胴差に間隔をおいて設けられており、上記外壁パネルを取り付けるのに用いられる取付部材と、上記取付部材間に設けられており、上記第１防湿シートに連続する防湿面を形成する第２防湿シートを有する柔軟性部材と、を備えることを特徴とする。
【００１３】
上記の構成であれば、上記外壁パネルに設けられる上記断熱材の屋内側の面に設けられた第１防湿シートによって外壁パネル全体の防湿が簡単に行われるとともに、上記柔軟性部材が有している第２防湿シートによって、上記胴差に設けられた上記取付部材間の防湿が簡単に行える。すなわち、建物の構造躯体の外側に断熱材が設けられる建物において作業性に優れた防湿施工を行うことができる。
【００１４】
上記胴差の屋外側で外壁パネルの横目地が存在する箇所の屋内側に上記柔軟性部材が設けられてもよい。また、上記胴差の下部と上部の各々に上記柔軟性部材が設けられてもよい。
【００１５】
また、この発明の建物の防湿構造は、建物の構造躯体の屋外側に設けられる外壁パネルと、上記外壁パネル内に埋め込まれる断熱材と、上記断熱材の屋内側の面に設けられた第１防湿シートと、軒桁に間隔をおいて設けられており、上記外壁パネルを取り付けるのに用いられる取付部材と、上記取付部材間に設けられており、上記第１防湿シートに連続する防湿面を形成する第２防湿シートを有する柔軟性部材と、を備えることを特徴とする。
【００１６】
上記の構成であれば、上記外壁パネルに設けられる上記断熱材の屋内側の面に設けられた第１防湿シートによって外壁パネル全体の防湿が簡単に行われるとともに、上記柔軟性部材が有している第２防湿シートによって、上記軒桁に設けられた上記取付部材間の防湿が簡単に行える。すなわち、建物の構造躯体の外側に断熱材が設けられる建物において作業性に優れた防湿施工を行うことができる。
【００１７】
上記防湿面が天井側防湿面に連続してもよい。
【発明の効果】
【００１８】
本発明であれば、建物の構造躯体の外側に断熱材が設けられる建物において作業性に優れた防湿施工を行うことができるという効果を奏する。
【図面の簡単な説明】
【００１９】
【図１】本発明の実施形態の建物の防湿構造を示した外壁の横断面図である。
【図２】図１の防湿構造における１階部分を示した斜視図である。
【図３】図２の防湿構造における柱配置の基礎側部分を示した側面視の説明図である。
【図４】同図（Ａ）は、図３の防湿構造にかかる柱配置の基礎側部分を外装材等を省略して示した平面視の説明図であり、同図（Ｂ）は同正面視の説明図である。
【図５】図１の防湿構造で用いる柔軟性断熱材を示した説明図である。
【図６】同図（Ａ）は、図１の防湿構造にかかる胴差近傍を示した平面視の説明図であり、同図（Ｂ）は同側面視の説明図であり、同図（Ｃ）は同正面視の説明図である。
【図７】本発明の実施形態の防湿構造における階間部を示した外壁の横断面図である。
【図８】本発明の実施形態防湿構造における軒桁部を示した外壁の横断面図である。
【図９】従来の防湿構造を有する建物を示した説明図である。
【図１０】同図（Ａ）は、図９の建物の屋根部の拡大図であり、同図（Ｂ）は図９の胴差部の拡大図である。
【発明を実施するための形態】
【００２０】
以下、この発明の実施の形態を添付図面に基づいて説明する。
図１に示すように、建物の構造躯体である柱２の屋外側に外壁パネル１が設けられている。上記外壁パネル１のフレーム１１内には断熱材１ａ設けられている。この断熱材１ａは、例えばグラスウールからなり、その屋内側に防湿シート（第１防湿シート）１ｂが設けられている。上記防湿シート１ｂは例えばアルミ圧着フィルムなどからなる。また、上記フレーム１１の屋外側には外張断熱材１ｃが設けられており、上記外張断熱材１ｃと外壁面材１ｄとの間には通気胴縁１ｅが配置されている。
【００２１】
上記柱２は、例えば２Ｐ（Ｐ＝９１０ｍｍ）間隔で配置されている。外壁パネル１は横幅が２Ｐのものもあればそうでないものもある。また、当該建物は外壁の出隅部１０１および入隅部１０２を有しており、上記出隅部１０１には柱状の外壁パネルが設けられる。
【００２２】
図２に示しているように、上記フレーム１１は、左右の縦フレーム１１ａ・１１ａと上下の横フレーム１１ｂ・１１ｂとを備えた方形枠形状を有する。上記縦フレーム１１ａおよび上記横フレーム１１ｂは、フランジとフランジを繋ぐウェブとで構成される溝型鋼から成る。
【００２３】
また、上記外壁パネル１は、その上部において、上記フレーム１１の背面側のフランジから水平方向に突出する両切りのボルト部１２を有しており、その下部において上記フレーム１１のウェブに形成された上下方向に貫通するフレーム挿通孔１３を有している。
【００２４】
上記建物基礎４上には上記柱２を上記建物基礎４に連結する第１基礎上部材２１が設けられている。そして、上記第１基礎上部材２１よりも外側の位置にボルト４１がその頭部を下に向けて配置されている。
【００２５】
図３および図４（Ａ），（Ｂ）にも示しているように、上記建物基礎４上にはアンカーボルト４ａの上端部が突出しており、このアンカーボルト４ａを用いて上記第１基礎上部材２１が上記建物基礎４に固定される。そして、ボルト受けプレート４２が上記ボルト４１の頭部と上記建物基礎４との間に設けられている。
【００２６】
そして、上記建物基礎４上に配置された上記ボルト４１が上記フレーム１１のフレーム挿通孔１３に通されており、上記ボルト４１に螺合されたナット４３が上記フレーム１１の下側に位置している。また、上記フレーム１１の下面と上記ナット４３との間に接続プレート４４が設けられている。この接続プレート４４は断面Ｌ字形状を有しており、その水平片部を上記フレーム１１の下面と上記ナット４３との間に位置させている。上記水平片部には、２個のボルト挿通用の孔４４ａが形成されている。また、上記接続プレート４４は、その垂直片部を上に向けた状態で上記第１基礎上部材２１の上記柱状部分に対面させている。上記垂直片部には、１個の貫通孔４４ｂが形成されており、この貫通孔４４ｂに通されたボルト４５によって上記接続プレート４４が上記第１基礎上部材２１の柱状部分に固定されている。
【００２７】
上記フレーム１１の下側内部の左右位置には、断面Ｌ字形状で縁に補強リブが設けられた補強金物１１ｃが設けられている。上記補強金物１１ｃにはナット１５が溶接されており、上記縦フレーム１１ａの外側から上記ナット１５にスペーサボルト（なべ頭付き螺子）１４が螺合されることで上記縦フレーム１１ａに上記補強金物１１ｃが固定されている。また、上記スペーサボルト１４の頭部によって、左右に隣り合う外壁パネル１の間隔が一定に形成される。
【００２８】
左右に隣り合う外壁パネル１の縦目地が存在する箇所の屋内側に柔軟性を有する柔軟性断熱材（柔軟性部材）６Ａが設けられている。この柔軟性断熱材６Ａは、例えば、図５に示すように、袋部材内にグラスウールを設けて成り、さらに上記袋部材よりも大きくて当該袋部材の周囲からはみ出る大きさの例えばアルミ圧着フィルムなどからなる防湿シート（第２防湿シート）６１を有する。上記袋部材の幅は上記柱２の幅よりも少し広くしてある。上記防湿シート６１は、上記袋部材の屋内側或いは屋外側に位置しており、上記外壁パネル１の防湿シート１ｂに連続する防湿面を横方向に形成する。上記柔軟性断熱材６Ａは、柔軟性を有するので、上記外壁パネル１と柱２との間に手で押し込んでセットすることができる。勿論、柔軟性部材（柔軟性断熱材）については、防湿シートが上記袋部材の周囲からはみ出ないタイプのものを用いることができ、また、柔軟性部材（柔軟性断熱材）を包む袋部材自体が防湿シートとなるものでもよい。後に説明する他の柔軟性部材（柔軟性断熱材）についても同様である。
【００２９】
上記防湿シート６１は、１つの面だけでなく、複数の面に設けられていてもよく、また、防湿面が連続できるのであれば、屋内側或いは屋外側のいずれに位置してもよい。ただし、柔軟性材が断熱材である柔軟性断熱材においては屋内側に上記防湿シートを位置させるのが望ましい（図７参照）。また、上記柔軟性断熱材６Ａの固定は、上記外壁パネル１の防湿シート１ｂ等に接着テープ等で固定することができるが、このような固定方法に限らない。後に説明する他の柔軟性断熱材についても同様のことがいえる。
【００３０】
また、上記防湿シート６１の袋部材の丈は上記柱２の高さと同程度であり、上記第１基礎上部材２１の上部近傍（１階床面近傍）に至る。そして、左右に隣り合う上記第１基礎上部材２１間に気流止め材７が設けられている。この気流止め材７により、基礎側からの外気の屋内側への流入が防止されることになる。また、上記気流止め材７は、１階外壁パネル１の屋内下部側であって上記柔軟性部材６Ａの下方にも存在する。上記気流止め材７は、例えば袋部材内にグラスウールが入れられた気密性を確保できる部材である。
【００３１】
図２に示したように、柱２が無い箇所にも、上記建物基礎４上にアンカーボルト４ａの上端部が突出しており、このアンカーボルト４ａを用いて第２基礎上部材４７が上記建物基礎４に固定される。そして、上記ボルト受けプレート４２が上記ボルト４１の頭部と上記建物基礎４との間に設けられている。また、上記ボルト受けプレート４２の上側片部に形成された切欠き部に上記ボルト４１の螺子部が位置している。
【００３２】
上記柱２が無い箇所においても、左右に隣り合う上記外壁パネル１の縦目地が存在する箇所の屋内側に上記柔軟性断熱材６Ａが設けられる。このような柱２が無い箇所においても、上記防湿シート６１は、上記外壁パネル１の防湿シート１ｂに連続する防湿面を横方向に形成する。
【００３３】
また、図１に示したように、上記出隅部１０１に設けられた柱状の外壁パネルの縦目地が存在する箇所の屋内側にも柔軟性断熱材６Ａが設けられる。なお、上記入隅部１０２においては、交差状に隣り合う外壁パネル１の間に、上記断熱材１ａと同様の防湿シート付きの断熱材が設けられ、当該防湿シートによって隣接の外壁パネル１の防湿シート１ｂに連続する防湿面が形成される。
【００３４】
また、図２に示したように、上記フレーム１１の上部右角部はボルト部１２を用いて胴差３に固定されている。具体的には、上記柱２と上記胴差３とを接合する接合部材２２に第１取付部材２３が設けられており、この第１取付部材２３の挿通孔２３ａに通した上記ボルト部１２によって、上記フレーム１１が上記胴差３に固定される。同様に、上記フレーム１１の上部左角部もボルト部１２を用いて胴差３に固定されている。具体的には、上記柱２が存在しない箇所の上記胴差３に第２取付部材３１が設けられており、この第２取付部材３１に形成された挿通孔３１ａに通した上記ボルト部１２によって、上記フレーム１１が上記胴差３に固定される。
【００３５】
図６（Ａ），（Ｂ），（Ｃ）に示すように、上記フレーム１１の上部角部には、断面Ｌ字形状で縁に補強リブが設けられた内挿金物１１ｄが配置されている。上記内挿金物１１ｄの内側には第１ナット１１ｅと第２ナット１１ｆが溶接されている。上記第１ナット１１ｅに上記ボルト部１２が螺合される。また、上記第２ナット１１ｆにはスペーサボルト１４が螺合される。
【００３６】
上記柱２が存在する箇所では、上記接合部材２２が上記胴差３の下面側にボルト３２とナット３３によって固定されている。上記第１取付部材２３は上記接合部材２２に溶接固定されている。また、上記第１取付部材２３は上記外壁パネル１側に突出する凸面部２３ｂを有しており、この凸面部に上記挿通孔２３ａが形成されている。上記挿通孔２３ａに挿通された上記ボルト部１２にナット２３１を螺合させて締結することで上記外壁パネル１の上部側が上記第１取付部材２３に固定される。
【００３７】
上記柱２が存在しない箇所でも、同様の形式で上記第２取付部材３１が上記胴差３の下面側にボルト３２とナット３３とによって固定される。上記第２取付部材３１も上記外壁パネル１側に突出する凸面部を有しており、この凸面部に上記挿通孔３１ａが形成されている。上記挿通孔３１ａに挿通された上記ボルト部１２にナットを螺合させて締結することで上記外壁パネル１の上部左側が上記第２取付部材３１に固定される。
【００３８】
図２に示したように、上記第１取付部材２３と上記第２取付部材３１との間には、柔軟性断熱材６Ｂが設けられている。上記柔軟性断熱材６Ｂは、例えば袋部材内にグラスウールを設けて成り、上記袋部材よりも大きくて当該袋部材の周囲からはみ出るように防湿シート（第２防湿シート）６１を有する。上記防湿シート６１は、例えば屋内側に位置しており、上記外壁パネル１の防湿シート１ｂに連続する防湿面を縦方向に形成する。
【００３９】
また、図７に示すように、上記柔軟性断熱材６Ｂは、上記胴差３の屋外側で下階側の外壁パネル１と上階側の外壁パネル１との間の横目地が存在する箇所の屋内側に位置する。
【００４０】
また、上記胴差３の上部には上側接合材２４が固定されており、この上側接合材２４上に上側柱２５が固定されている。上記上側接合材２４の屋外側には、上記第１取付部材２３と同様の形式で第１取付部材２６が設けられており、この第１取付部材２６に上側の外壁パネル１のボルト部１２が螺合される。また、柱がない箇所にも、上記第２取付部材３１と同様の第２取付部材が設けられている。
【００４１】
そして、上記第１取付部材２３と上記第２取付部材３１との間には、柔軟性断熱材６Ｃが設けられている。上記柔軟性断熱材６Ｃは、例えば袋部材内にグラスウールを設けて成り、上記袋部材よりも大きくて当該袋部材の周囲からはみ出るように防湿シート（第２防湿シート）６１を有する。上記防湿シート６１は、例えば屋内側に位置しており、上記外壁パネル１の防湿シート１ｂに連続する防湿面を縦方向に形成する。
【００４２】
上記図７では、防湿面を太点線で示している。上記柔軟性断熱材６Ｂの防湿シート６１による防湿面に連続するように上記胴差３のウェブやフランジが防湿面を形成し、このウェブやフランジによる防湿面に連続するように上記柔軟性断熱材６Ｃの防湿シート６１による防湿面が形成されている。また、上記記第１取付部材２３、２６等によっても防湿面が形成される。
【００４３】
図８に示すように、軒桁３４と上記上側柱２５との間に上記第１取付部材２３と同様の第１取付部材２７が設けられており、この第１取付部材２７に上側の外壁パネル１のボルト部１２が螺合される。また、柱がない箇所にも、上記第２取付部材３１と同様の第２取付部材が設けられている。そして、上記第１取付部材２７と上記第２取付部材と間の領域には、柔軟性断熱材６Ｄが設けられる。上記柔軟性断熱材６Ｄは、例えば袋部材内にグラスウールを設けて成るものであり、上記袋部材よりも大きくて当該袋部材の周囲からはみ出るように防湿シート（第２防湿シート）６１を有する。例えば、上記防湿シート６１は当該柔軟性断熱材６Ｄの下部側で屋内側から屋内側にかけて位置しており、上記外壁パネル１の防湿シート１ｂに連続する防湿面を形成する。さらに、上記柔軟性断熱材６Ｄの防湿シート６１は、上記防湿面を天井側の防湿面（図８の太点線参照）に連続させる。
【００４４】
上記の構成であれば、上記外壁パネル１に設けられる上記断熱材１ａの屋内側の面に設けられた防湿シート１ｂによって外壁パネル１全体の防湿が簡単に行われるとともに、上記柔軟性断熱材６Ａが有している防湿シート６１によって、上記隣り合う外壁パネル１の縦目地が存在する箇所の防湿が簡単に行えることになる。また、上記柔軟性断熱材６Ｂ、６Ｃが有している防湿シート６１によって、上記胴差３に設けられた取付部材間の防湿や上下の外壁パネル１の横目地が存在する箇所の防湿が簡単に行えることになる。さらに、上記柔軟性断熱材６Ｄが有している防湿シート６１によって、上記軒桁３４に設けられた取付部材間の防湿が簡単に行えることになる。すなわち、建物の構造躯体の外側に断熱材が設けられる建物において作業性に優れた防湿施工を行うことができる。
【００４５】
なお、上記柔軟性断熱材６Ａ、６Ｂ、６Ｃ、６Ｄは、繊維材を袋部材に充填したものに限らず、繊維材を袋部材に充填せずに単にシート状にしたものよいし、或いはエアキャップなどの柔軟シートを利用したものでもよい。また、このような柔軟性断熱材に代えて、断熱性を有しない柔軟性材を用いることができる。また、上記防湿シート１ｂ付きの断熱材１ａおよび上記柔軟性断熱材６Ａ、６Ｂ、６Ｃ、６Ｄが上記外壁パネル１に予め工場で設けられて現場に搬入されるようにしてもよい。
【００４６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４７】
１      外壁パネル
１ａ    断熱材
１ｂ    防湿シート
１１    フレーム
１１ａ  縦フレーム
１１ｂ  横フレーム
２      柱
２１    第１基礎上部材
２２    接合部材
２３    第１取付部材
３      胴差
３１    第２取付部材
４      建物基礎
６Ａ，６Ｂ，６Ｃ，６Ｄ  柔軟性断熱材（柔軟性部材）
６１    防湿シート
【図１】
0006401508.tif 000002
【図２】
0006401508.tif 000003
【図３】
0006401508.tif 000004
【図４】
0006401508.tif 000005
【図５】
0006401508.tif 000006
【図６】
0006401508.tif 000007
【図７】
0006401508.tif 000008
【図８】
0006401508.tif 000009
【図９】
0006401508.tif 000010
【図１０】
0006401508.tif 000011